(57)【要約】      （修正有）【課題】使用者に安心感を与え、または使用者の入眠を支援する振動発生装置を提供する。【解決手段】振動発生装置１０は、心臓の動作音に基づいて振動を発生させる振動発生手段２０と、振動発生手段２０を収容する収容体３０と、を有している。駆動部は、振動発生手段２０により生成された振動生成用データのうち、切替スイッチによって選択された振動生成用データに基づいて振動子が振動するように駆動する。振動子は、駆動部によって与えられた電気信号に基づいて振動する電圧素子で、駆動部は、タイマーが起動して所定の時間が経過すると停止する。【選択図】図１
2019033870.tif 000002
【特許請求の範囲】
【請求項１】
血の流動、心臓の動作音または心電図のデータに基づいて振動を発生させる振動発生手段と、
前記振動発生手段を収容する収容体と、
を備えた、振動発生装置。
【請求項２】
前記振動発生手段は、
振動する振動子と、
前記血の流動、前記心臓の動作音または前記心電図のデータに基づいて生成された振動生成用データを格納するデータ格納部と、
前記データ格納部に格納された前記振動生成用データに基づいて前記振動子が振動するように駆動する駆動部と、を有する、請求項１に記載の振動発生装置。
【請求項３】
前記振動発生手段は、
振動する振動子と、
前記血の流動、前記心臓の動作音または前記心電図のデータに基づいて生成された複数の振動生成用データを格納するデータ格納部と、
前記複数の振動生成用データの１つを選択する切替スイッチと、
前記複数の振動生成用データのうち、前記切替スイッチによって選択された振動生成用データに基づいて前記振動子が振動するように駆動する駆動部と、を有する、請求項１に記載の振動発生装置。
【請求項４】
前記振動発生手段は、
振動する振動子と、
前記血の流動、前記心臓の動作音または前記心電図のデータに基づいて生成された振動生成用データを受信するデータ受信部と、
前記データ受信部によって受信された前記振動生成用データに基づいて前記振動子が振動するように駆動する駆動部と、を有する、請求項１に記載の振動発生装置。
【請求項５】
前記振動発生手段は、前記振動子の振動の大きさまたは速さを調節する振動調節手段を有する、請求項２乃至４のいずれか一項に記載の振動発生装置。
【請求項６】
前記振動発生手段は、さらに、タイマーを有し、
前記駆動部は、前記タイマーが起動して所定の時間が経過すると停止するようになっている、請求項２乃至５のいずれか一項に記載の振動発生装置。
【請求項７】
前記振動発生手段は、衝撃検出センサを有し、
前記駆動部は、前記振動発生手段に衝撃が与えられたことを前記衝撃検出センサが検出すると、前記振動子が振動するように駆動するようになっている、請求項２乃至６のいずれか一項に記載の振動発生装置。
【請求項８】
前記収容体は、クッション性を有することを特徴とする、請求項１乃至７のいずれか一項に記載の振動発生装置。
【発明の詳細な説明】
【技術分野】
【０００１】
本発明は、振動発生装置に関する。
【背景技術】
【０００２】
従来、使用者に安心感を与え、あるいは使用者の入眠を支援するため、音響機能付きの寝具の開発が行われている。
【先行技術文献】
【特許文献】
【０００３】
【特許文献１】登録実用新案第３０１０７８９号公報
【発明の概要】
【発明が解決しようとする課題】
【０００４】
しかしながら、上述のような音を発する寝具は、例えば病室等の同室者がいる環境で使用すると、寝具から漏れた音が騒音となって、同室者に不快感を与えたり同室者の睡眠を阻害したりする虞がある。
【０００５】
本開示の実施形態は、以上の点を考慮してなされたものであり、周囲に影響を与えることなく、使用者に安心感を与え、または使用者の入眠を支援することが可能な振動発生装置を提供することを目的とする。
【課題を解決するための手段】
【０００６】
本発明による振動発生装置の一態様は、
血の流動、心臓の動作音または心電図のデータに基づいて振動を発生させる振動発生手段と、
前記振動発生手段を収容する収容体と、
を備えている。
【０００７】
この場合、前記振動発生手段は、
振動する振動子と、
前記血の流動、前記心臓の動作音または前記心電図のデータに基づいて生成された振動生成用データを格納するデータ格納部と、
前記データ格納部に格納された前記振動生成用データに基づいて前記振動子が振動するように駆動する駆動部と、を有していてもよい。
【０００８】
あるいは、前記振動発生手段は、
振動する振動子と、
前記血の流動、前記心臓の動作音または前記心電図のデータに基づいて生成された複数の振動生成用データを格納するデータ格納部と、
前記複数の振動生成用データの１つを選択する切替スイッチと、
前記複数の振動生成用データのうち、前記切替スイッチによって選択された振動生成用データに基づいて前記振動子が振動するように駆動する駆動部と、を有していてもよい。
【０００９】
あるいは、前記振動発生手段は、
振動する振動子と、
前記血の流動、前記心臓の動作音または前記心電図のデータに基づいて生成された振動生成用データを受信するデータ受信部と、
前記データ受信部によって受信された前記振動生成用データに基づいて前記振動子が振動するように駆動する駆動部と、を有していてもよい。
【００１０】
また、本発明による振動発生装置において、前記振動発生手段は、前記振動子の振動の大きさまたは速さを調節する振動調節手段を有していてもよい。
【００１１】
また、本発明による振動発生装置において、前記振動発生手段は、さらに、タイマーを有し、前記駆動部は、前記タイマーが起動して所定の時間が経過すると停止するようになっていてもよい。
【００１２】
また、本発明による振動発生装置において、前記振動発生手段は、衝撃検出センサを有し、前記駆動部は、前記振動発生手段に衝撃が与えられたことを前記衝撃検出センサが検出すると、前記振動子が振動するように駆動するようになっていてもよい。
【００１３】
また、本発明による振動発生装置において、前記収容体は、クッション性を有していてもよい。
【発明の効果】
【００１４】
本発明による振動発生装置によれば、周囲に影響を与えることなく、使用者に安心感を与え、または使用者の入眠を支援することができる。
【図面の簡単な説明】
【００１５】
【図１】本発明の一実施の形態を説明する図であって、振動発生装置を示す正面図。
【図２】図１に示す振動発生装置に用いられる振動発生手段の全体的な構成を示すブロック図。
【図３】変形例における振動発生手段の全体的な構成を示すブロック図。
【発明を実施するための形態】
【００１６】
以下、図面を参照して本発明の一実施の形態について説明する。
【００１７】
図１及び図２は、本発明の一実施の形態を説明するための図である。本実施の形態に係る振動発生装置１０は、使用者に安心感を与え、また、使用者の入眠を支援するための工夫がなされている。具体的には、振動発生装置１０は、心臓の動作音に基づいて振動を発生させる。ここで、本件発明者らの得た知見によれば、心臓の動作音に基づく振動は、これを体感する者に安らぎを与え、または体感する者の入眠を支援することができる。さらに、本実施の形態の振動発生装置１０は、病室等の同室者がいる環境における使用にも好適である。なぜなら、振動発生装置１０が発生させる振動は、振動発生装置１０に接触している使用者のみに知覚され、周囲に知覚されないからである。
【００１８】
図１に示すように、振動発生装置１０は、心臓の動作音に基づいて振動を発生させる振動発生手段２０と、振動発生手段２０を収容する収容体３０と、を有している。収容体３０は、クッション性を有しており、振動発生装置１０を触り心地の良いものとしている。とりわけ図１に示す例において、収容体３０はぬいぐるみであり、幼児でも振動発生装置１０を抱きかかえることが容易である。収容体３０は、振動発生手段２０が配置される空洞部３１を有し、空洞部３１へは、収容体３０の底部に設けられた蓋３２を開放することによりアクセスすることができるようになっている。したがって、蓋３２を開放することにより、空洞部３１に振動発生手段２０を配置し、あるいは空洞部３１から振動発生手段２０を取り出すことができるようになっている。
【００１９】
図２は、振動発生手段２０の全体的な構成を示すブロック図である。図２に示すように、振動発生手段２０は、振動する振動子２１と、複数の振動生成用データ２２Ａ，２２Ｂ，２２Ｃを格納するデータ格納部２２と、データ格納部２２に格納された振動生成用データ２２Ａ，２２Ｂ，２２Ｃに基づいて振動子２１が振動するように駆動する駆動部２３と、を有している。図２に示す例において、データ格納部２２は、メモリカード等の着脱可能な記録媒体であるが、これに限られない。また、振動発生手段２０は、データ格納部２２に格納された複数の振動生成用データ２２Ａ，２２Ｂ，２２Ｃの１つを選択する切替スイッチ２４を有している。また、振動発生手段２０は、電源２５とタイマスイッチ２６とを有しており、電源２５は、タイマスイッチ２６を介して駆動部２３に給電することができるようになっている。
【００２０】
振動生成用データ２２Ａ，２２Ｂ，２２Ｃは、各々異なる人間（ヒト）の心臓の動作音に基づいて生成されている。振動生成用データ２２Ａ，２２Ｂ，２２Ｃは、例えば以下の方法により生成される。すなわち、人間（ヒト）、とりわけ振動発生装置１０を子供が利用する場合には当該子供の保護者、の胸部等に当てられた聴診器やマイクを介して、当該人間（ヒト）の心臓の動作音を複数の心周期に亘って取得する。次に、コンピュータを用いて、取得された心臓の動作音からノイズを除去する。ここで、ノイズは、例えば人間（ヒト）から心臓の動作音を取得する際に、当該人間（ヒト）に当てられた聴診器やマイクと、当該人間（ヒト）が着用していた衣服と、の擦れにより生じた音である。あるいは、ノイズは、不規則に生じる心臓の動作音である。次に、ノイズが除去された心臓の動作音から、振動生成用データ２２Ａ，２２Ｂ，２２Ｃとしての利用に好ましい数心周期分の心臓の動作音を採取する。採取された心臓の動作音のうち最初の数秒間と最後の数秒間の心臓の動作音の強弱を調整して振動生成用データ２２Ａ，２２Ｂ，２２Ｃを生成し、振動発生手段２０において振動生成用データ２２Ａ，２２Ｂ，２２Ｃが連続して繰り返し用いられても、振動生成用データ２２Ａ，２２Ｂ，２２Ｃに基づいて駆動される振動子２１の振動が、振動生成用データ２２Ａ，２２Ｂ，２２Ｃの終端から始端に移行する際に不自然なものとならないようにする。なお、データ格納部２２は、単一の振動生成用データ２２Ａのみを格納していてもよい。この場合、振動発生手段２０は、切替スイッチ２４を有していなくてもよい。
【００２１】
駆動部２３は、以上のようにして生成された振動生成用データ２２Ａ，２２Ｂ，２２Ｃのうち、切替スイッチ２４によって選択された振動生成用データに基づいて振動子２１が振動するように駆動する。図２に示す例において、駆動部２３は、電圧信号生成手段２３１と振動調節手段２３２とを有している。電圧信号生成手段２３１は、音データとして生成された複数の振動生成用データ２２Ａ，２２Ｂ，２２Ｃのうち、切替スイッチ２４によって選択された振動生成用データを再生し、得られた音圧を電圧信号に変換する。振動調節手段２３２は、振動生成用データに基づいて駆動される振動子２１の振動の大きさを調節する。具体的には、振動調節手段２３２は、可変抵抗であり、電圧信号生成手段２３１により生成された電圧信号の大きさを調節して振動子２１に伝えるものである。そして、図２に示す例において、振動子２１は、駆動部２３によって与えられた電気信号に基づいて振動する電圧素子である。
【００２２】
駆動部２３は、後述するタイマー２７が起動して所定の時間が経過すると停止するようになっている。具体的には、タイマー２７の計時時間が予め設定された設定時間に達すると、駆動部２３は、電源２５と電気的に断絶される。また、駆動部２３は、振動発生手段２０に衝撃が与えられると、振動子２１が振動するように駆動する。具体的には、後述する衝撃検出センサ２７ａが振動発生手段２０に衝撃が与えられたことを検出すると、駆動部２３は、電源２５と電気的に接続される。
【００２３】
タイマスイッチ２６は、電源２５と駆動部２３とを電気的に接続あるいは断絶するスイッチ２６ａと、タイマー２７と、衝撃検出センサ２７ａと、を有している。タイマー２７は、振動発生装置１０に衝撃が与えられたことを衝撃検出センサ２７ａが検出すると、起動して計時を開始する。また、タイマー２７は、タイマー２７の計時時間が予め設定された設定時間に達すると、計時を終了する。スイッチ２６ａは、タイマー２７が計時を開始すると切り替わって、電源２５と駆動部２３とを電気的に接続する。また、スイッチ２６ａは、タイマー２７が計時を終了すると切り替わって、電源２５と駆動部２３とを電気的に断絶する。タイマスイッチ２６がこのように構成されていることにより、駆動部２３は、衝撃検出センサ２７ａが振動発生手段２０に衝撃が与えられたことを検出すると、振動子２１が振動するように駆動する。したがって、振動発生手段２０が収容体３０に収容された状態であっても、振動発生装置１０を叩いたり揺さぶったりして振動発生手段２０に衝撃を与えれば、振動発生手段２０に振動を発生させることができる。このため、振動発生手段２０を収容体３０から取り出すことなく、振動発生手段２０に振動を発生させることができる。
【００２４】
次に、以上のような構成から成る本実施の形態の作用について説明する。
【００２５】
まず、上述の方法により生成された複数の振動生成用データ２２Ａ，２２Ｂ，２２Ｃを、メモリカード等の記録媒体に記録する。次に、記録媒体を、データ格納部２２として振動発生手段２０に設置する。そして、タイマー２７の計時時間を設定する。また、切替スイッチ２４により、データ格納部２２に格納された複数の振動生成用データ２２Ａ，２２Ｂ，２２Ｃのうちの１つを選択する。そして、収容体３０の蓋３２が開放され、振動発生手段２０が収容体３０の空洞部３１に収容される。
【００２６】
この状態において、叩いたり揺さぶったりして振動発生装置１０に衝撃を与えると、タイマスイッチ２６の衝撃センサ２７ａによって当該衝撃が検出され、タイマー２７が起動されて計時が開始される。このとき、スイッチ２６ａが切り替わって、電源２５と駆動部２３とが電気的に接続される。駆動部２３と電源２５とが電気的に接続されると、駆動部２３の電圧信号生成手段２３１では、切替スイッチ２４によって選択された振動生成用データが再生され、得られた音圧が電圧信号に変換される。駆動部２３の振動調節手段２３２において、電圧信号の大きさが調節される。電圧の大きさが調節された電圧信号が振動子２１に伝えられ、振動子２１が振動する。振動子２１の振動が、収容体３０を介して使用者に伝えられる。
【００２７】
タイマー２７の計時時間が予め設定された設定時間に達すると、タイマー２７は計時を終了する。このとき、スイッチ２６ａが切り替わって、電源２５と駆動部２３とが電気的に断絶される。これにより、駆動部２３から振動子２１への電圧信号の供給が停止され、振動子２１が振動を停止する。
【００２８】
振動子２１が振動を停止した状態において、振動発生装置１０に再び衝撃を与えると、衝撃センサ２７ａによって当該衝撃が検出され、タイマー２７が計時を開始する。このとき、スイッチ２６ａが切り替わって、電源２５と駆動部２３とが再び電気的に接続される。これにより、駆動部２３は振動子２１への電圧信号の供給を再開し、振動子２１は再び振動する。
【００２９】
なお、上述の説明において、振動発生手段２０は、心臓の動作音に基づいて振動を発生させるものであったが、これに限られない。例えば、振動発生手段２０は、血の流動に基づいて生成されてもよい。ここで、血の流動は、例えば人間（ヒト）の指先等に装着されたパルスオキシメータ等により取得される脈拍である。この場合、振動生成用データ２２Ａ，２２Ｂ，２２Ｃは、例えば以下の方法により生成される。すなわち、人間（ヒト）の指先等に装着されたパルスオキシメータ等を介して脈拍を複数の心周期に亘って取得する。次に、コンピュータを用いて、取得された脈拍からノイズを除去する。ここで、ノイズは、例えば不規則に生じる脈拍である。その後、ノイズが除去された脈拍から、振動生成用データ２２Ａ，２２Ｂ，２２Ｃとしての利用に好ましい数心周期分の脈拍を採取する。採取された脈拍のうち最初の数秒間と最後の数秒間の脈拍の強弱を調整して振動生成用データ２２Ａ，２２Ｂ，２２Ｃを生成し、振動生成手段２０において振動生成用データ２２Ａ，２２Ｂ，２２Ｃが連続して繰り返し用いられても、振動生成用データ２２Ａ，２２Ｂ，２２Ｃに基づいて駆動される振動子２１の振動が、振動生成用データ２２Ａ，２２Ｂ，２２Ｃの終端から始端に移行する際に不自然なものとならないようにする。なお、振動発生手段２０が血の流動に基づいて生成される場合、駆動部２３の電圧信号生成手段２３１は、例えば、脈拍の強弱の変化を圧力の変化で示す振動生成用データに基づいて、振動子２１を駆動するための電圧信号を生成するものである。そして、この場合、振動子２１は、駆動部２３によって与えられた電気信号に基づいて振動する電圧素子である。
【００３０】
あるいは、振動発生手段２０は、心電図のデータに基づいて振動を発生させるものであってもよい。すなわち、振動生成用データ２２Ａ，２２Ｂ，２２Ｃは、心電図のデータに基づいて生成されてもよい。この場合、振動生成用データ２２Ａ，２２Ｂ，２２Ｃは、例えば以下の方法により生成される。すなわち、人間（ヒト）の身体に電極を装着し、心電図のデータを複数の心周期に亘って取得する。次に、コンピュータを用いて、取得された心電図のデータからノイズを除去する。ここで、ノイズは、例えば不規則に生じる心臓の電気的な活動である。その後、ノイズが除去された心電図のデータから、振動生成用データ２２Ａ，２２Ｂ，２２Ｃとしての利用に好ましい数心周期分の心電図のデータを採取する。採取された心電図のデータのうち最初の数秒間分と最後の数秒間分の電気的信号の強弱を調整して振動生成用データ２２Ａ，２２Ｂ，２２Ｃを生成し、振動生成手段２０において振動生成用データ２２Ａ，２２Ｂ，２２Ｃが連続して繰り返し用いられても、振動生成用データ２２Ａ，２２Ｂ，２２Ｃに基づいて駆動される振動子２１の振動が、振動生成用データ２２Ａ，２２Ｂ，２２Ｃの終端から始端に移行する際に不自然なものとならないようにする。なお、振動発生手段２０が心電図のデータに基づいて振動を発生させるものである場合、駆動部２３の電圧信号生成手段２３１は、例えば、電気信号のデータとして生成された振動生成用データ２２Ａ，２２Ｂ，２２Ｃに基づいて、振動子２１を駆動するための電圧信号を生成するものでる。そして、この場合、振動子２１は、駆動部２３によって与えられた電気信号に基づいて振動する電圧素子である。
【００３１】
また、振動調節手段２３２は、振動生成用データ２２Ａ，２２Ｂ，２２Ｃに基づいて駆動される振動子２１の振動の速さを調節するものであってもよい。この場合、振動調節手段２３２は、例えば、電圧信号生成手段２３１における振動生成用データ２２Ａ，２２Ｂ，２２Ｃの再生速度を調節する。
【００３２】
また、振動発生装置１０は、ぬいぐるみ以外の育児具、例えばベビーカーや、ベビーベッド、揺動椅子（いわゆるベビーラック）、チャイルドシート等にも応用可能である。この場合、収容体３０は、ベビーカーやベビーベッド、揺動椅子に用いられるシートやマットレス、チャイルドシートのシート本体であってもよい。また、振動発生装置１０は、乳幼児を含む子供用および大人用の寝具にも応用可能である。この場合、収容体３０は、マットレスや枕、抱き枕などであってもよい。なお、振動発生手段２０の寸法は、特に限定されない。振動発生手段２０の寸法は、収容体３０に収容可能な寸法であればよい。したがって、収容体３０がマットレスである場合の振動発生手段２０の寸法は、収容体３０がぬいぐるみや枕である場合と比較して、大きくてもよい。
【００３３】
また、振動発生装置１０は、記念品や記録品としても用いられてもよい。この場合、振動発生装置１０は、記念品または記録品を受け取る者あるいはその近親者の出生時やその他の特別な時期の心臓の動作音、あるいはそれ以外の者（例えば、当該記念品や当該記録品を受け取る者が興味を有する芸能人やスポーツ選手、著名人等）の心臓の動作音に基づいて振動を発生させるものであってもよい。
【００３４】
以上に説明してきた上述の一実施の形態において、振動発生装置１０は、血の流動、心臓の動作音または心電図のデータに基づいて振動を発生させる振動発生手段２０と、振動発生手段２０を収容する収容体３０と、を備えている。
【００３５】
本実施の形態の振動発生装置１０によれば、心臓の動作音に基づく振動あるいは類似の振動を使用者に知覚させて、使用者に安心感を与え、または使用者の入眠を支援することができる。また、振動発生装置１０の振動は振動発生装置１０に接触する使用者のみに知覚されるものであるため、振動発生装置１０の使用により周囲に与える影響が少ない。
【００３６】
また、上述した一実施の形態において、振動発生手段２０は、振動する振動子２１と、血の流動、心臓の動作音または心電図のデータに基づいて生成された振動生成用データ２２Ａを格納するデータ格納部２２と、データ格納部２２に格納された振動生成用データ２２Ａに基づいて振動子２１が振動するように駆動する駆動部２３と、を有している。この場合、振動発生装置１０は、血の流動、心臓の動作音または心電図のデータに基づいて振動を発生させることが容易である。
【００３７】
とりわけ、上述した一実施の形態において、振動発生手段２０は、振動する振動子２１と、血の流動、心臓の動作音または心電図のデータに基づいて生成された複数の振動生成用データ２２Ａ，２２Ｂ，２２Ｃを格納するデータ格納部２２と、複数の振動生成用データ２２Ａ，２２Ｂ，２２Ｃの１つを選択する切替スイッチ２４と、複数の振動生成用データ２２Ａ，２２Ｂ，２２Ｃのうち、切替スイッチ２４によって選択された振動生成用データに基づいて振動子２１が振動するように駆動する駆動部２３と、を有している。この場合、振動発生装置１０は、複数種類の振動を発生させることができ、使用者の気分や好みに応じて振動を選択することができる。
【００３８】
また、上述した一実施の形態において、振動発生手段２０は、振動子２１の振動の大きさまたは速さを調節する振動調節手段２３２を有している。この場合、使用者の気分や好みに応じて振動の大きさや速さを調節することができ、あるいは、収容体３０の厚みや材質等に応じて振動の大きさを変更することができる。
【００３９】
また、上述した一実施の形態において、振動発生手段２０は、さらに、タイマー２７を有し、駆動部２３は、タイマー２７が起動して所定の時間が経過すると停止するようになっている。この場合、振動発生装置１０は、使用者にとって必要な時間長だけ（例えば入眠の時だけ）振動を発生させることができる。
【００４０】
また、上述した一実施の形態において、振動発生手段２０は、衝撃検出センサ２７ａを有し、駆動部２３は、振動発生手段２０に衝撃が与えられたことを衝撃検出センサ２７ａが検出すると、振動子２１が振動するように駆動するようになっている。この場合、収容体３０に収容された振動発生手段２０を収容体３０から取り出すことなく、振動発生手段２０に振動を発生させることができる。
【００４１】
また、上述した一実施の形態において、収容体３０は、クッション性を有している。この場合、振動発生装置１０の触り心地が良いため、振動発生装置１０の使用者により一層安心感を与えることができ、あるいは当該使用者の入眠をより一層支援することができる。
【００４２】
なお、上述してきた実施形態に対して様々な変更を加えることが可能である。以下、図面を参照しながら、変形例について説明する。以下の説明および以下の説明で用いる図面では、上述した実施形態と同様に構成され得る部分について、上述の実施形態における対応する部分に対して用いた符号と同一の符号を用いることとし、重複する説明を省略する。
【００４３】
図３に示す変形例は、振動発生手段がデータ受信部を有している点が異なるのみであり、その他の構成は図２に示す振動発生手段と略同一である。
【００４４】
図３に示す振動発生手段２００は、データ受信部２２７を有している。データ受信部２２７は、心臓の動作音に基づいて生成された振動生成用データ２２Ａ，２２Ｂ，２２Ｃを、通信機器２４０を介して受信し、データ格納部２２に格納する。ここで、図示の例では、人間（ヒト）の心臓の動作音を通信機器２４０に接続されたマイク２４１で取得し、取得された心臓の動作音を、通信機器２４０に格納されたプログラムで処理して振動生成用データ２２Ａ，２２Ｂ，２２Ｃを生成している。
【００４５】
なお、本変形例において、データ格納部２２は、着脱可能な記録媒体ではなく、ハードディスクなどの固定型の記録媒体として構成されていてもよい。また、本変形例において、振動発生手段２００は、データ格納部２２を有していなくてもよい。この場合、データ受信部２２７は、振動生成用データ２２Ａを受信し、駆動部２３の電圧信号生成手段２３１に渡す。もちろん、この場合、振動発生手段２００は切替スイッチ２４を有していなくてよい。
【００４６】
以上に説明してきた上述の変形例において、振動発生手段２００は、振動する振動子２１と、血の流動、心臓の動作音または心電図のデータに基づいて生成された振動生成用データ２２Ａを受信するデータ受信部２２７と、データ受信部２２７によって受信された振動生成用データ２２Ａに基づいて振動子２１が振動するように駆動する駆動部２３と、を有する。この場合、振動生成用データ２２Ａを振動発生手段２００に渡すことが容易である。
【００４７】
以上において、一実施の形態とその変形例を説明してきたが、本発明は上述の実施形態および変形例に限定されるものではなく、当業者が想到しうる種々の変形が加えられた各種態様も含みうるものであり、本開示によって奏される効果も上述の事項に限定されない。したがって、本開示の技術的思想及び趣旨を逸脱しない範囲で、特許請求の範囲及び明細書に記載される各要素に対して種々の追加、変更及び部分的削除が可能である。
【符号の説明】
【００４８】
１０  振動発生装置
２０、２００  振動発生手段
２１  振動子
２２  データ格納部
２３  駆動部
２３１  電圧信号生成手段
２３２  振動調節手段
２４  切替スイッチ
２５  電源
２６  タイマスイッチ
２７  タイマー
２７ａ  衝撃検出センサ
３０  収容体
【図１】
2019033870.tif 000003
【図２】
2019033870.tif 000004
【図３】
2019033870.tif 000005